(57)【要約】【課題】複数の表示装置を用いてコンテンツ画像を表示する表示システムにおいて、表示装置に記憶した表示画像の一部が壊れている場合でも、コンテンツ画像の表示を容易に継続できるようにする。【解決手段】表示装置は、当該表示装置が表示する表示画像の情報、及び表示画像を表示する順序を示す情報を含むコンテンツ情報に従って、表示画像を順次に表示させる表示制御部と、表示画像のうち、当該表示装置で表示できない第１の表示画像がある場合、第１の表示画像に対応するコンテンツ画像の情報を、他の表示装置に送信する送信部と、他の表示装置から送信される、他の表示装置で表示できない第２の表示画像に対応するコンテンツ画像の情報を受信する受信部と、第１の表示画像に対応するコンテンツ画像、又は第２の表示画像に対応するコンテンツ画像を表示しないように、コンテンツ情報を更新する更新部と、を有する。【選択図】図４
2018155910.tif 000002
【特許請求の範囲】
【請求項１】
複数の表示装置の表示画像を連結したコンテンツ画像を順次に表示する表示システムの前記表示装置であって、
当該表示装置が表示する１つ以上の表示画像の情報、及び前記１つ以上の表示画像を表示する順序を示す情報を含むコンテンツ情報に従って、前記１つ以上の表示画像を順次に表示させる表示制御部と、
前記１つ以上の表示画像のうち、当該表示装置で表示できない表示画像である第１の表示画像がある場合、前記第１の表示画像に対応する前記コンテンツ画像の情報を、他の表示装置に送信する送信部と、
前記他の表示装置から送信される、前記他の表示装置で表示できない表示画像である第２の表示画像に対応する前記コンテンツ画像の情報を受信する受信部と、
前記第１の表示画像に対応する前記コンテンツ画像、又は前記第２の表示画像に対応する前記コンテンツ画像を表示しないように、前記コンテンツ情報を更新する更新部と、
を有する、表示装置。
【請求項２】
前記更新部は、前記第１の表示画像に対応する前記コンテンツ画像、又は前記第２の表示画像に対応する前記コンテンツ画像に関する情報を、前記コンテンツ情報から削除する、請求項１に記載の表示装置。
【請求項３】
前記第１の表示画像に対応する前記コンテンツ画像、又は前記第２の表示画像に対応する前記コンテンツ画像を表示しないように、前記他の表示装置の更新されたコンテンツ情報を作成する作成部と、
前記作成部が作成した前記他の表示装置の更新されたコンテンツ情報を、前記他の表示装置に通知する通知部と、
を有する請求項１又は２に記載の表示装置。
【請求項４】
前記他の表示装置から通知される当該表示装置の更新されたコンテンツ情報を受付する受付部を有し、
前記表示制御部は、前記受付部が受付した当該表示装置の更新されたコンテンツ情報に従って、当該表示装置が表示する１つ以上の表示画像を順次に表示させる、請求項１乃至３のいずれか一項に記載の表示装置。
【請求項５】
前記表示装置は、投影面に前記表示画像を投影するプロジェクタであり、
前記表示システムは、複数のプロジェクタを用いて前記コンテンツ画像を投影面に投影する、請求項１乃至４のいずれか一項に記載の表示装置。
【請求項６】
複数の表示装置を有し、前記複数の表示装置の表示画像を連結したコンテンツ画像を順次に表示する表示システムであって、
前記表示装置が表示する１つ以上の表示画像の情報、及び前記１つ以上の表示画像を表示する順序を示す情報を含むコンテンツ情報を記憶する記憶部と、
前記記憶部に記憶された前記コンテンツ情報に従って、前記１つ以上の表示画像を順次に表示させる表示制御部と、
前記１つ以上の表示画像のうち、前記表示装置で表示できない表示画像である第１の表示画像がある場合、前記第１の表示画像に対応する前記コンテンツ画像の情報を、他の表示装置に送信する送信部と、
前記他の表示装置から送信される、前記他の表示装置で表示できない表示画像である第２の表示画像に対応する前記コンテンツ画像の情報を受信する受信部と、
前記第１の表示画像に対応する前記コンテンツ画像、又は前記第２の表示画像に対応する前記コンテンツ画像を表示しないように、前記記憶部に記憶された前記コンテンツ情報を更新する更新部と、
を有する表示システム。
【請求項７】
複数の表示装置を有し、複数の表示装置の表示画像を連結したコンテンツ画像を順次に表示する表示システムの表示制御方法であって、
１つ以上の表示画像の情報、及び前記１つ以上の表示画像を表示する順序を示す情報を含むコンテンツ情報に従って、前記１つ以上の表示画像を順次に表示させるステップと、
前記１つ以上の表示画像のうち、当該表示装置で表示できない表示画像である第１の表示画像がある場合、前記第１の表示画像に対応する前記コンテンツ画像の情報を、他の表示装置に送信するステップと、
前記第１の表示画像に対応する前記コンテンツ画像を表示しないように、前記コンテンツ情報を更新するステップと、
を含む表示制御方法。
【請求項８】
前記他の表示装置から送信される、前記他の表示装置で表示できない表示画像である第２の表示画像に対応する前記コンテンツ画像の情報を受信するステップと、
前記他の表示装置で表示できない表示画像に対応する前記コンテンツ画像を表示しないように、前記コンテンツ情報を更新するステップと、
を含む、請求項７に記載の表示制御方法。
【請求項９】
請求項７又は８に記載の表示制御方法を、表示装置に実行させるためのプログラム。
【発明の詳細な説明】
【技術分野】
【０００１】
本発明は、表示装置、表示システム、表示制御方法、及びプログラムに関する。
【背景技術】
【０００２】
複数のプロジェクタを用いて大画面を投影するマルチプロジェクションシステムにおいて、各プロジェクタに接続された記憶装置に投影する表示画像を記憶しておき、コンテンツの投影順序を示すコンテンツ情報に従って、大画面を投影する技術が知られている。
【０００３】
また、このようなマルチプロジェクションを行うマルチプロジェクションシステムにおいて、プロジェクタ間で制御情報を伝達することにより、例えば、一時停止、再開、早送り、巻き戻し等の制御を行う技術が知られている（例えば、特許文献１参照）。
【発明の概要】
【発明が解決しようとする課題】
【０００４】
このように、複数のプロジェクタを用いてコンテンツ画像を投影するマルチプロジェクションを行う場合、例えば、プロジェクタの記憶装置に記憶した表示画像の一部が壊れているとき等に、正常に投影できないコンテンツ画像が発生する場合がある。このような場合、マルチプロジェクションを繰返し実行すると、正常に投影できないコンテンツ画像が繰返し投影されてしまうという問題がある。
【０００５】
このように、複数のプロジェクタを用いてコンテンツ画像を投影するマルチプロジェクションシステムにおいて、各プロジェクタに記憶した表示画像の一部が壊れている場合に、コンテンツ画像の表示を継続することには困難を伴っていた。
【０００６】
なお、このような課題は、プロジェクタを用いたマルチプロジェクションシステムに限られず、例えば、液晶ディスプレイ等、他の複数の表示装置を用いてコンテンツ画像を表示させる様々な表示システムに共通に存在する。
【０００７】
本発明の実施の形態は、上記問題点に鑑みてなされたものであって、複数の表示装置を用いてコンテンツ画像を表示する表示システムにおいて、表示装置に記憶した表示画像の一部が壊れている場合でも、コンテンツ画像の表示を容易に継続できるようにする。
【課題を解決するための手段】
【０００８】
上記課題を解決するため、本発明の一実施形態に係る表示装置は、複数の表示装置の表示画像を連結したコンテンツ画像を順次に表示する表示システムの前記表示装置であって、当該表示装置が表示する１つ以上の表示画像の情報、及び前記１つ以上の表示画像を表示する順序を示す情報を含むコンテンツ情報に従って、前記１つ以上の表示画像を順次に表示させる表示制御部と、前記１つ以上の表示画像のうち、当該表示装置で表示できない表示画像である第１の表示画像がある場合、前記第１の表示画像に対応する前記コンテンツ画像の情報を、他の表示装置に送信する送信部と、前記他の表示装置から送信される、前記他の表示装置で表示できない表示画像である第２の表示画像に対応する前記コンテンツ画像の情報を受信する受信部と、前記第１の表示画像に対応する前記コンテンツ画像、又は前記第２の表示画像に対応する前記コンテンツ画像を表示しないように、前記コンテンツ情報を更新する更新部と、を有する。
【発明の効果】
【０００９】
本発明の実施の形態によれば、複数の表示装置を用いてコンテンツ画像を表示する表示システムにおいて、表示装置に記憶した表示画像の一部が壊れている場合でも、コンテンツ画像の表示を容易に継続できるようになる。
【図面の簡単な説明】
【００１０】
【図１】一実施形態に係る表示システムの構成の例を示す図である。
【図２】一実施形態に係る表示システムの処理の概要について説明するための図である。
【図３】一実施形態に係るプロジェクタのハードウェア構成の例を示す図である。
【図４】第１の実施形態に係る表示システムの機能構成図である。
【図５】第１の実施形態に係るコンテンツ情報の例を示す図である。
【図６】第１の実施形態に係るプロジェクタの処理の例を示すフローチャートである。
【図７】第１の実施形態に係る更新されたコンテンツ情報の例を示す図である。
【図８】第２の実施形態に係る表示システムの機能構成図である。
【図９】第２の実施形態に係るプロジェクタの処理の例を示すフローチャートである。
【発明を実施するための形態】
【００１１】
以下に、本発明の実施の形態について、添付の図面を参照して説明する。
【００１２】
＜システムの構成＞
図１は一実施形態に係る表示システムの構成の例を示す図である。表示システム１００は、複数のプロジェクタ（表示装置）１０１−１、１０１−２、１０１−３が、例えば、無線ＬＡＮ（Local Area Network）、又は有線ＬＡＮ等のネットワーク１０２を介して、互いに通信可能に接続されている。なお、以下の説明の中で、複数のプロジェクタ１０１−１〜１０１−３のうちの任意のプロジェクタを示す場合「プロジェクタ１０１」を用いる。また、複数のプロジェクタ１０１−１〜１０１−３の数は一例であって、２台以上の他の数であっても良い。
【００１３】
また、プロジェクタ１０１は、複数の表示装置の表示画像を連結した連結画像（以下、コンテンツ画像と呼ぶ）を順次に表示する表示システム１００で用いられる表示装置の一例である。表示システム１００で用いられる表示装置は、例えば、液晶ディスプレイ等の他の表示装置であっても良い。
【００１４】
プロジェクタ１０１は、投影面に投影画像を投影する画像投影装置である。表示システム１００は、例えば図１に示すように、プロジェクタ１０１−１の投影領域１０４−１と、プロジェクタ１０１−２の投影領域１０４−２との一部が重複するように配置されている。また、プロジェクタ１０１−２の投影領域１０４−２と、プロジェクタ１０１−３の投影領域１０４−３との一部が重複するように配置されている。また、表示システム１００は、３つの投影領域１０４−１〜１０４−３を用いて、例えば、１つのコンテンツ画像（動画、又は静止画）１０５を、投影面１０３に投影するマルチ投影（マルチプロジェクション）を行うことができる。なお、投影領域１０４−１と投影領域１０４−２との間の重複、及び投影領域１０４−２と投影領域１０４−３との間の重複は必須ではない。
【００１５】
また、プロジェクタ１０１は、投影する１つ以上の表示画像の情報、及び１つ以上の表示画像を表示する順序を示す情報を含むコンテンツ情報や、表示画像等を記憶する外部記憶装置１０６を接続するインタフェースを有している。また、プロジェクタ１０１は、コンテンツ情報や、表示画像等を、ネットワーク１０２を介して外部装置から取得し、プロジェクタ１０１の内部の記憶部に記憶するもの等であっても良い。
【００１６】
図２は、一実施形態に係る表示システムの処理の概要について説明するための図である。表示システム１００を用いて、例えば、外部記憶装置１０６に記憶したコンテンツ情報に従ってマルチ投影を実行中に、プロジェクタ１０１−１で投影エラーが発生した場合、例えば、図２に示すように、コンテンツ画像１０５の一部が表示されない。
【００１７】
このような場合、コンテンツ情報に従って複数のコンテンツ画像１０５を繰返し表示させると、例えば、図２に示すように、コンテンツ画像１０５の一部が表示されない状態が繰返し発生してしまい、マルチ投影を正しく継続させることができない。
【００１８】
そこで、本実施形態に係るプロジェクタ１０１−１は、投影エラーが発生すると、表示できない表示画像に対応するコンテンツ画像１０５の情報（例えば、コンテンツＩＤ、コンテンツ名等）を含むエラー情報をプロジェクタ１０１−２、１０１−３に通知する。
【００１９】
これにより、複数のプロジェクタ１０１−１〜１０１−３は、投影エラーが発生したコンテンツ画像１０５の情報を共有することができる。また、複数のプロジェクタ１０１−１〜１０１−３は、投影エラーが発生したコンテンツ画像１０５の表示を中止すると共に、投影エラーが発生したコンテンツ画像１０５を表示しないようにコンテンツ情報を更新する。
【００２０】
このように、本実施形態に係る表示システム１００では、投影エラーが発生したコンテンツ画像１０５を、表示対象から自動的に外してマルチ投影を継続する。
【００２１】
従って、本実施形態によれば、複数のプロジェクタ１０１の表示画像を連結したコンテンツ画像１０５を順次に表示する表示システム１００において、コンテンツが壊れている場合でもコンテンツ画像１０５の表示を容易に継続することができるようになる。
【００２２】
＜ハードウェア構成＞
（プロジェクタのハードウェア構成）
図３は、一実施形態に係るプロジェクタのハードウェア構成の例を示す図である。プロジェクタ１０１は、一般的なコンピュータの構成を含み、例えば、ＣＰＵ（Central Processing Unit）３０１、メモリ３０２、ストレージ部３０３、ネットワークＩ／Ｆ（Interface）３０４、外部接続Ｉ／Ｆ３０５、画像処理部３０６、音声出力部３０７、画像投影部３０８、操作部３０９、及びバス３１０等を有する。なお、プロジェクタ１０１は、表示装置の一例である。
【００２３】
ＣＰＵ３０１は、メモリ３０２やストレージ部３０３等からプログラムやデータを読出し、処理を実行することでプロジェクタ１０１が備える各機能を実現する演算装置である。メモリ３０２は、例えば、ＣＰＵ３０１のワークエリア等として使用されるＲＡＭ（Random Access Memory）や、プロジェクタ１０１の起動プログラム等を格納するＲＯＭ（Read Only Memory）等を含む。
【００２４】
ストレージ部３０３は、プロジェクタ１０１のプログラムや、画像データ等を記憶する大容量の記憶手段であり、例えば、ＳＳＤ（Solid State Drive）や、ＨＤＤ（Hard Disk Drive）等によって構成される。
【００２５】
ネットワークＩ／Ｆ３０４は、プロジェクタ１０１をネットワーク１０２に接続して、他のプロジェクタ１０１等と通信するための、例えば、無線ＬＡＮ、有線ＬＡＮ等のインタフェースである。
【００２６】
外部接続Ｉ／Ｆ３０５は、例えば、ＵＳＢメモリ等の外部記憶装置１０６を接続するためのインタフェースである。
【００２７】
画像処理部３０６は、投影する画像データに対して、例えば、デコードや、変倍、切り出し等の様々な画像処理を実行する。
【００２８】
音声出力部３０７は、画像データ（例えば、動画データ）に含まれる音声を出力する音声回路や、スピーカ等によって構成される。
【００２９】
画像投影部３０８は、画像を投影面１０３に投影するための、光源、表示素子、投影レンズ等を含む。操作部３０９は、利用者の操作を受付けるための、キーや、タッチパネル等の入力デバイスである。バス３１０は、上記各構成に接続され、アドレス信号、データ信号、各種制御信号等を伝達する。
【００３０】
［第１の実施形態］
＜機能構成＞
図４は、第１の実施形態に係る表示システムの機能構成図である。なお、表示システム１００に含まれる複数のプロジェクタ１０１は、図４に示すプロジェクタ１０１−１と同様の構成を有しているものとする。
【００３１】
プロジェクタ１０１は、例えば、図３のＣＰＵ３０１で所定のプログラムを実行することにより、通信部４０１、記憶部４０２、表示制御部４０３、エラー情報送信部４０４、エラー情報受信部４０５、及びコンテンツ情報更新部４０６等を実現している。なお、上記の各機能構成の少なくとも一部は、ハードウェアによって実現されるものであっても良い。
【００３２】
通信部４０１は、例えば、図３のネットワークＩ／Ｆ３０４を用いて、プロジェクタ１０１をネットワーク１０２に接続し、他のプロジェクタ１０１や、外部装置等と通信を行う。
【００３３】
記憶部４０２は、例えば、図３のメモリ３０２、ストレージ部３０３、及び図３のＣＰＵ３０１で実行されるプログラム等によって実現される。記憶部４０２は、例えば、プロジェクタ（表示装置）１０１が表示する１つ以上の表示画像の情報、及び１つ以上の表示画像を表示する順序を示す情報を含むコンテンツ情報等を記憶する。
【００３４】
図５は、第１の実施形態に係るコンテンツ情報の例を示す図である。
【００３５】
図５（ａ）は、プロジェクタ１０１−１の記憶部４０２が記憶するコンテンツ情報５０１の一例を示している。図５（ａ）の例では、コンテンツ情報５０１には、「コンテンツＩＤ」、「表示画像」、「表示順序」、「表示時間（秒）」等の情報が含まれる。また、コンテンツ情報５０１には、「開始時刻」、「終了時刻」等の情報が含まれていても良い。
【００３６】
「コンテンツＩＤ」は、表示システム１００が表示（投影）するコンテンツ画像１０５を識別するための識別情報であり、コンテンツ画像１０５の情報の一例である。コンテンツ画像１０５の情報は、コンテンツ名等の情報であっても良い。
【００３７】
「表示画像」は、表示システム１００が「コンテンツＩＤ」に対応するコンテンツ画像１０５を表示する際に、プロジェクタ１０１−１が表示する表示画像（例えば、図１の投影領域１０４−１に表示する画像）である。なお、「表示画像」の情報は、プロジェクタ１０１−１が表示する表示画像の画像データであっても良いし、表示画像を取得するためのリンク情報や、表示画像を識別する識別情報等であっても良い。
【００３８】
「表示順序」は、対応する表示画像を表示する順序を示す情報である。
【００３９】
「表示時間」は、対応する表示画像を表示する時間を示す情報である。
【００４０】
「開始時刻」は、一連のコンテンツ画像の表示を開始する時刻を示す情報である。
【００４１】
「終了時刻」は、一連のコンテンツ画像の表示を終了する時刻を示す情報である。
【００４２】
なお、開始時刻、及び終了時刻の情報は、コンテンツ情報に５０１に含まれていなくても良い。例えば、開始時刻、又は終了時刻の情報は、ネットワーク１０２を介して接続される情報端末等から送信される画像投影指示等に、含まれているものであっても良い。
【００４３】
図５（ｂ）は、プロジェクタ１０１−２の記憶部４０２が記憶するコンテンツ情報５０２の一例を示している。図５（ｂ）に示すコンテンツ情報５０２は、図５（ａ）に示すコンテンツ情報５０１と、「表示画像」の情報のみが異なる。
【００４４】
図５（ｂ）において、「表示画像」は、表示システム１００が「コンテンツＩＤ」に対応するコンテンツ画像１０５を表示する際に、プロジェクタ１０１−２が表示する表示画像（例えば、図１の投影領域１０４−２に表示する画像）である。
【００４５】
ここで、図４に戻り、プロジェクタ１０１の機能構成の説明を続ける。
【００４６】
表示制御部４０３は、記憶部４０２に記憶されたコンテンツ情報に従って、コンテンツ情報に含まれる表示画像を、例えば、図３の画像投影部３０８に、順次に表示（投影）させる。
【００４７】
例えば、プロジェクタ１０１−１の表示制御部４０３は、図５（ａ）に示すようなコンテンツ情報５０１に従って、「開始時刻」から、表示画像１Ａを１５秒間、表示画像２Ａを３０秒間、表示画像３Ａを２０秒間、図１の投影領域１０４−１に投影させる。
【００４８】
同様に、プロジェクタ１０１−２の表示制御部４０３は、図５（ｂ）に示すようなコンテンツ情報５０２に従って、「開始時刻」から、表示画像１Ｂを１５秒間、表示画像２Ｂを３０秒間、表示画像３Ｂを２０秒間、図１の投影領域１０４−２に投影させる。
【００４９】
エラー情報送信部（送信部）４０４は、コンテンツ情報に含まれる１つ以上の表示画像のうち、プロジェクタ１０１で投影できない表示画像がある場合、投影できない表示画像に対応するコンテンツＩＤを含むエラー情報を、他のプロジェクタ１０１に通知する。
【００５０】
例えば、プロジェクタ１０１−１のエラー情報送信部４０４は、図５（ａ）に示すコンテンツ情報５０１の表示画像２Ａが表示できない場合、表示画像２Ａに対応するコンテンツＩＤ「Ａ００２」を含むエラー情報を、他のプロジェクタ１０１−２等に送信する。
【００５１】
エラー情報受信部（受信部）４０５は、他のプロジェクタ１０１から送信される、他のプロジェクタ１０１で表示できない表示画像に対応するコンテンツＩＤを含むエラー情報を受信する。
【００５２】
例えば、プロジェクタ１０１−２のエラー情報受信部４０５は、プロジェクタ１０１−１から送信される、コンテンツＩＤ「Ａ００２」を含むエラー情報を受信する。
【００５３】
コンテンツ情報更新部（更新部）４０６は、プロジェクタ１０１、又は他のプロジェクタ１０１で表示できない表示画像に対応するコンテンツＩＤのコンテンツ画像１０５を表示しないように、記憶部４０２に記憶したコンテンツ情報を更新する。
【００５４】
例えば、コンテンツ情報更新部４０６は、プロジェクタ１０１で表示できない表示画像の情報、及び該表示画像を表示する順序を示す情報を、記憶部４０２に記憶したコンテンツ情報から削除する。又は、コンテンツ情報更新部４０６は、他のプロジェクタ１０１で表示できない表示画像に対応するコンテンツＩＤに関する表示画像の情報、及び該表示画像を表示する順序を示す情報を、コンテンツ情報から削除する。
【００５５】
なお、コンテンツ情報更新部４０６は、コンテンツ情報に含まれる表示画像の情報、及び表示画像を表示する順序を示す情報を削除する代わりに、表示しないことを示すフラグ等を付与するものであっても良い。
【００５６】
＜処理の流れ＞
続いて、第１の実施形態に係る表示装置における表示制御方法の処理の流れについて説明する。
【００５７】
図６は、第１の実施形態に係るプロジェクタの処理の例を示すフローチャートである。この処理は、例えば、図４に示す表示システム１００に含まれる各プロジェクタ１０１の表示制御処理の例を示している。
【００５８】
ステップＳ６０１において、プロジェクタ１０１は、コンテンツ画像１０５を表示する開始時刻になると、ステップＳ６０２以降の処理を実行する。
【００５９】
ステップＳ６０２において、プロジェクタ１０１の表示制御部４０３は、記憶部４０２に記憶されたコンテンツ情報を取得する。
【００６０】
ステップＳ６０３において、プロジェクタ１０１の表示制御部４０３は、取得したコンテンツ情報に基づいて、次に表示する表示画像と、表示開始時刻を決定する。
【００６１】
例えば、プロジェクタ１０１−１は、図５（ａ）に示すようなコンテンツ情報５０１の「表示画像」、「表示順序」、「表示時間」、及び「開始時刻」等の情報を用いて、表示する表示画像と、表示開始時刻を決定する。
【００６２】
ステップＳ６０４において、プロジェクタ１０１の表示制御部４０３は、ステップＳ６０３で決定された次に表示する表示画像を、例えば、外部接続Ｉ／Ｆ３０５に接続された外部記憶装置１０６、又はストレージ部３０３等から取得する。
【００６３】
ステップＳ６０５において、プロジェクタ１０１の表示制御部４０３は、次に表示する表示画像を取得できたか否かを判断する。
【００６４】
表示画像を取得できた場合、表示制御部４０３は、処理をステップＳ６０６に移行させる。一方、表示画像を取得できない場合、表示制御部４０３は、処理をステップＳ６０８に移行させる。
【００６５】
ステップＳ６０６に移行すると、プロジェクタ１０１の表示制御部４０３は、取得した表示画像を表示させる。例えば、プロジェクタ１０１−１の表示制御部４０３は、画像投影部３０８を用いて、図１に示すプロジェクタ１０１−１の投影領域１０４−１に、コンテンツ画像１０５の一部である表示画像を投影させる。
【００６６】
ステップＳ６０７において、プロジェクタ１０１の表示制御部４０３は、取得した表示画像を表示することができたか否かを判断する。
【００６７】
例えば、ステップＳ６０４で取得した表示画像が壊れていた場合等、取得した表示画像を正しく表示することができない場合、表示制御部４０３は、表示画像を表示することができないと判断する。
【００６８】
表示画像を表示することができた場合、表示制御部４０３は、処理をステップＳ６０９に移行させる。一方、表示画像を表示することができない場合、表示制御部４０３は、処理をステップＳ６０８に移行させる。
【００６９】
ステップＳ６０８に移行すると、プロジェクタ１０１のエラー情報送信部４０４は、プロジェクタ１０１で表示できない表示画像（第１の表示画像）に対応するコンテンツＩＤを含むエラー情報（コンテンツ画像の情報）を、他のプロジェクタ１０１に送信する。
【００７０】
ステップＳ６０９に移行すると、表示制御部４０３は、エラー情報受信部４０５が、他のプロジェクタ１０１から、他のプロジェクタ１０１で表示できない表示画像（第２の表示画像）に対応するコンテンツＩＤを含むエラー情報を受信したか否かを判断する。
【００７１】
エラー情報を受信した場合、表示制御部４０３は、処理をステップＳ６１０に移行させる。一方、エラー情報を受信していない場合、表示制御部４０３は、処理をステップＳ６１２に移行させる。
【００７２】
ステップＳ６１０に移行すると、プロジェクタ１０１の表示制御部４０３は、ステップＳ６０３で決定された表示画像の表示を中止する。
【００７３】
ステップＳ６１１において、コンテンツ情報更新部４０６は、ステップＳ６１０で表示を中止した表示画像を表示しないように、記憶部４０２に記憶したコンテンツ情報を更新する。すなわち、コンテンツ情報更新部４０６は、プロジェクタ１０１で表示できない表示画像に対応するコンテンツ画像、又は他のプロジェクタ１０１で表示できない表示画像に対応するコンテンツ画像を表示しないように、コンテンツ情報を更新する。
【００７４】
例えば、図５（ａ）、（ｂ）に示すコンテンツ情報５０１、５０２において、プロジェクタ１０１−１で表示画像２Ａが表示できない場合、図７（ａ）、（ｂ）に示すコンテンツ情報７０１、７０２のように、コンテンツＩＤ「Ａ００２」の情報が削除される。
【００７５】
同様に、図５（ａ）、（ｂ）に示すコンテンツ情報５０１、５０２において、プロジェクタ１０１−２で表示画像２Ｂが表示できない場合、例えば、図７（ａ）、（ｂ）に示すコンテンツ情報７０１、７０２のように、コンテンツＩＤ「Ａ００２」の情報が削除される。
【００７６】
ステップＳ６１２において、プロジェクタ１０１の表示制御部４０３は、表示制御処理の終了条件を満たすか否かを判断する。例えば、表示制御部４０３は、終了時刻になった場合、又は終了指示を受付した場合等に、表示制御処理の終了条件を満たすと判断する。
【００７７】
終了条件を満たすと判断されない場合、表示制御部４０３は、処理をステップＳ６０３に戻して、同様の処理を再び実行する。
【００７８】
一方、終了条件を満たすと判断された場合、表示制御部４０３は、処理を終了させる。
【００７９】
上記の処理により、表示システム１００では、いずれかのプロジェクタ１０１で表示できない表示画像に対応するコンテンツ画像に対する表示処理が行われないようになる。
【００８０】
これにより、本実施形態によれば、複数の表示装置（プロジェクタ１０１）を用いてコンテンツ画像を順次に表示する表示システム１００において、表示装置に記憶した表示画像が壊れている場合でも、コンテンツ画像の表示を容易に継続できるようになる。
【００８１】
［第２の実施形態］
＜機能構成＞
図８は、第２の実施形態に係る表示システムの機能構成図である。図８に示す第２の実施形態に係るプロジェクタ１０１は、図４に示す第１の実施形態に係るプロジェクタ１０１の機能構成に加えて、コンテンツ情報作成部８０１、コンテンツ情報通知部８０２、及びコンテンツ情報受付部８０３等を有している。なお、他の機能構成は、図４に示す第１の実施形態に係るプロジェクタ１０１と同様なので、ここでは、第１の実施形態との相違点を中心に説明を行う。
【００８２】
コンテンツ情報作成部（作成部）８０１は、例えば、図３のＣＰＵ３０１で実行されるプログラムによって実現される。コンテンツ情報作成部８０１は、プロジェクタ１０１で表示できない表示画像に対応するコンテンツ画像１０５を表示しないように、他のプロジェクタ１０１のコンテンツ情報を作成する。
【００８３】
コンテンツ情報通知部（通知部）８０２は、例えば、図３のＣＰＵ３０１で実行されるプログラムによって実現され、コンテンツ情報作成部８０１が作成した他のプロジェクタ１０１のコンテンツ情報を、他のプロジェクタに通知する。
【００８４】
コンテンツ情報受付部８０３は、他のプロジェクタ１０１から通知される、プロジェクタ１０１のコンテンツ情報を受付する。
【００８５】
＜処理の流れ＞
図９は、第２の実施形態に係るプロジェクタの処理の例を示すフローチャートである。この処理は、例えば、図８に示す表示システム１００に含まれる各プロジェクタ１０１の表示制御処理の例を示している。
【００８６】
ステップＳ９０１において、プロジェクタ１０１は、コンテンツ画像１０５を表示する開始時刻になると、ステップＳ９０２以降の処理を実行する。
【００８７】
ステップＳ９０２において、プロジェクタ１０１の表示制御部４０３は、記憶部４０２に記憶されたコンテンツ情報を取得する。
【００８８】
ステップＳ９０３において、プロジェクタ１０１の表示制御部４０３は、取得したコンテンツ情報に基づいて、次に表示する表示画像と、表示開始時刻を決定する。
【００８９】
ステップＳ９０４において、プロジェクタ１０１の表示制御部４０３は、ステップＳ９０３で決定された次に表示する表示画像を、例えば、外部接続Ｉ／Ｆ３０５に接続された外部記憶装置１０６、又はストレージ部３０３等から取得する。
【００９０】
ステップＳ９０５において、プロジェクタ１０１の表示制御部４０３は、次に表示する表示画像を取得できたか否かを判断する。
【００９１】
表示画像を取得できた場合、表示制御部４０３は、処理をステップＳ９０６に移行させる。一方、表示画像を取得できない場合、表示制御部４０３は、処理をステップＳ９０８に移行させる。
【００９２】
ステップＳ９０６に移行すると、プロジェクタ１０１の表示制御部４０３は、取得した表示画像を表示させる。
【００９３】
ステップＳ９０７において、プロジェクタ１０１の表示制御部４０３は、取得した表示画像を表示することができたか否かを判断する。
【００９４】
表示画像を表示することができた場合、表示制御部４０３は、処理をステップＳ９０７に移行させる。一方、表示画像を表示することができない場合、表示制御部４０３は、処理をステップＳ９０８に移行させる。
【００９５】
ステップＳ９０８に移行すると、プロジェクタ１０１のコンテンツ情報作成部８０１は、プロジェクタ１０１で表示できない表示画像に対応するコンテンツを表示しないように、他のプロジェクタ１０１のコンテンツ情報を作成する。
【００９６】
例えば、コンテンツ情報作成部８０１は、図５（ａ）、（ｂ）に示すようなコンテンツ情報５０１、５０２を記憶部４０２に予め記憶しておく。また、コンテンツ情報作成部８０１は、例えば、プロジェクタ１０１−１が、表示画像２Ａを表示できない場合、図７（ａ）、（ｂ）に示すようなコンテンツ情報７０１、７０２を作成する。
【００９７】
図７（ａ）に示すコンテンツ情報７０１では、図５（ａ）に示すコンテンツ情報５０１から、表示画像２Ａに対応するコンテンツＩＤ「Ａ００２」に関する情報が削除され、「表示順序」の情報が更新されている。
【００９８】
同様に、図７（ｂ）に示すコンテンツ情報７０２では、図５（ｂ）に示すコンテンツ情報５０２から、コンテンツＩＤ「Ａ００２」に関する情報が削除され、「表示順序」の情報が更新されている。
【００９９】
なお、コンテンツ情報作成部８０１は、表示システム１００に他のプロジェクタ１０１が複数含まれる場合、他のプロジェクタ１０１の各々に対応するコンテンツ情報を作成する。
【０１００】
ステップＳ９０９において、プロジェクタ１０１のコンテンツ情報通知部８０２は、コンテンツ情報作成部８０１が作成した他のプロジェクタ１０１のコンテンツ情報を、他のプロジェクタに通知する。また、プロジェクタ１０１のエラー情報送信部４０４は、第１の実施形態と同様に、プロジェクタ１０１で表示できない表示画像に対応するコンテンツＩＤを含むエラー情報を、他のプロジェクタ１０１に送信する。
【０１０１】
ステップＳ９１０において、プロジェクタ１０１の表示制御部４０３は、ステップＳ９０３で決定された表示画像の表示処理を中止する。
【０１０２】
ステップＳ９１１において、プロジェクタ１０１のコンテンツ情報更新部４０６は、プロジェクタ１０１で表示できない表示画像に対応するコンテンツ画像を表示しないように、記憶部４０２に記憶されたコンテンツ情報を更新する。
【０１０３】
一方、ステップＳ９０７からステップＳ９１２に移行すると、表示制御部４０３は、エラー情報受信部４０５が、他のプロジェクタ１０１から、他のプロジェクタ１０１で表示できない表示画像のコンテンツＩＤを含むエラー情報を受信したか否かを判断する。
【０１０４】
なお、本実施形態では、他のプロジェクタ１０１は、エラー情報と共にプロジェクタ１０１のコンテンツ情報を通知するので、ステップＳ９１２において、エラー情報に代えて、プロジェクタ１０１のコンテンツ情報を受付したかを判断するものであっても良い。
【０１０５】
エラー情報（又はプロジェクタ１０１のコンテンツ情報）を受信したと判断された場合、表示制御部４０３は、処理をステップＳ９１３に移行させる。一方、エラー情報（又はプロジェクタ１０１のコンテンツ情報）を受信していないと判断された場合、表示制御部４０３は、処理をステップＳ９１５に移行させる。
【０１０６】
ステップＳ９１３に移行すると、プロジェクタ１０１の表示制御部４０３は、ステップＳ９０３で決定された表示画像の表示を中止する。
【０１０７】
ステップＳ９１４において、プロジェクタ１０１のコンテンツ情報受付部８０３は、他のプロジェクタからエラー情報と共に通知される、プロジェクタ１０１のコンテンツ情報を受付し、受付したコンテンツ情報を記憶部４０２に記憶する。
【０１０８】
ステップＳ９１５において、プロジェクタ１０１の表示制御部４０３は、表示制御処理の終了条件を満たすか否かを判断する。
【０１０９】
終了条件を満たすと判断されない場合、表示制御部４０３は、処理をステップＳ９０３に戻して、同様の処理を再び実行する。
【０１１０】
一方、終了条件を満たすと判断された場合、表示制御部４０３は、処理を終了させる。
【０１１１】
上記の処理により、表示システム１００では、いずれかのプロジェクタ１０１で表示できない表示画像に対応するコンテンツ画像に対する表示処理が行われないようになる。
【０１１２】
これにより、本実施形態によれば、複数の表示装置（プロジェクタ１０１）を用いてコンテンツ画像を順次に表示する表示システム１００において、表示装置に記憶した表示画像が壊れている場合でも、コンテンツ画像の表示を容易に継続できるようになる。
【０１１３】
なお、上記の各実施形態では、表示装置がプロジェクタであるものとして説明を行ったが、表示装置はプロジェクタ以外の表示装置（例えば、液晶ディスプレイ等）であっても良い。
【０１１４】
また、上記の説明では、外部記憶装置１０６等に、各プロジェクタ１０１が表示する表示画像が予め記憶されているものとして説明を行った。ただし、これは好適な一例であり、各プロジェクタ１０１が表示する表示画像は、例えば、外部記憶装置１０６等に記憶されたコンテンツ画像に対して画像処理を行い、プロジェクタ１０１が生成するものであっても良い。
【０１１５】
さらに、表示システム１００は、複数のプロジェクタ１０１によるマルチ投影を制御する情報端末を有し、情報端末から、コンテンツ画像、画像処理パラメータ、コンテンツ情報等を各プロジェクタに通知して、マルチ投影の制御を行うもの等であっても良い。また、例えば、図４、８に示すプロジェクタ１０１の機能構成のうち、少なくとも一部は、情報端末等の外部装置が有していても良い。
【符号の説明】
【０１１６】
１００      表示システム
１０１      プロジェクタ（表示装置の一例）
４０２      記憶部
４０３      表示制御部
４０４      エラー情報送信部（送信部）
４０５      エラー情報受信部（受信部）
４０６      コンテンツ情報更新部（更新部）
８０１      コンテンツ情報作成部（作成部）
８０２      コンテンツ情報通知部（通知部）
８０３      コンテンツ情報受付部（受付部）
【先行技術文献】
【特許文献】
【０１１７】
【特許文献１】特開２０１６−１７０３５１号公報
【図１】
2018155910.tif 000003
【図２】
2018155910.tif 000004
【図３】
2018155910.tif 000005
【図４】
2018155910.tif 000006
【図５】
2018155910.tif 000007
【図６】
2018155910.tif 000008
【図７】
2018155910.tif 000009
【図８】
2018155910.tif 000010
【図９】
2018155910.tif 000011